(57)【要約】      （修正有）【課題】床敷きマットの周りに埃が溜まることを回避すると共に、接続の多様化が実現されて接続方式及び接続形状が単一という問題が解決される防塵組合せ式床敷きマットを提供する。【解決手段】防塵組合せ式床敷きマット１００は、本体モジュール１と、本体モジュール１の外周に設けられるエッジモジュール２とを備えている。本体モジュール１は、エッジモジュール２の内側と係合接続される。本体モジュール１は、正方形であり且つ辺長が異なる第１本体ユニット１１及び第２本体ユニット１２を含む。エッジモジュール２は、外側が平滑であり、線形エッジユニット２１及び扇形エッジユニット２２を含む。扇形エッジユニット２２及び線形エッジユニット２１は、それぞれ、もう１つの扇形エッジユニット２２、もう１つの線形エッジユニット２１、第１本体ユニット１１及び第２本体ユニット１２と係合接続される。【選択図】図１
0003205820.tif 000002
【実用新案登録請求の範囲】
【請求項１】
本体モジュールと、前記本体モジュールの外周に設けられるエッジモジュールとを備え、
前記本体モジュールは、前記エッジモジュールの内側と係合接続され、正方形であり且つ辺長が異なる第１本体ユニット及び第２本体ユニットを含み、
前記エッジモジュールは、外側が平滑であり、線形エッジユニット及び扇形エッジユニットを含み、
前記扇形エッジユニット及び前記線形エッジユニットは、それぞれ、もう１つの前記扇形エッジユニット、もう１つの前記線形エッジユニット、前記第１本体ユニット及び前記第２本体ユニットと係合接続されることを特徴とする防塵組合せ式床敷きマット。
【請求項２】
前記扇形エッジユニットは、円弧エッジ及び相互に垂直の２つの第１エッジを含み、
前記第１エッジは、係合歯を有し、前記第１エッジの係合歯によって、前記扇形エッジユニットは、もう１つの前記扇形エッジユニット、前記第１本体ユニット、前記第２本体ユニット及び前記線形エッジユニットと係合接続されることを特徴とする請求項１に記載の防塵組合せ式床敷きマット。
【請求項３】
前記線形エッジユニットは、係合歯が設けられた第２エッジ、及び、前記第２エッジと相対的に設けられたストレートエッジを含むことを特徴とする請求項２に記載の防塵組合せ式床敷きマット。
【請求項４】
１つの前記線形エッジユニットと１つの前記第１本体ユニットとが係合接続された状態において、前記第１本体ユニットの前記線形エッジユニットから離れた側から前記ストレートエッジまでの距離は、前記第１エッジの辺長と同じであることを特徴とする請求項３に記載の防塵組合せ式床敷きマット。
【請求項５】
任意の２つの前記第１本体ユニットは、接続して第１長辺を有する長方形を形成し、任意の３つの前記第２本体ユニットは、接続して第２長辺を有する長方形を形成し、前記第１長辺の長さと前記第２長辺の長さとは同じであることを特徴とする請求項１に記載の防塵組合せ式床敷きマット。
【請求項６】
前記線形エッジユニットは、前記第１本体ユニットに対応する第１線形エッジユニットと、前記第２本体ユニットに対応する第２線形エッジユニットとを含むことを特徴とする請求項１に記載の防塵組合せ式床敷きマット。
【考案の詳細な説明】
【技術分野】
【０００１】
本考案は、床敷きマットの技術分野に関し、特に防塵組合せ式床敷きマットに関する。
【背景技術】
【０００２】
市場には様々な種類の床敷きマットが存在する。中でもＥＶＡ／ＰＶＣ材質の簡易組立式床敷きマットは、ごく一般的な組立式ソフトマットであり、防滑のために通常床の上に置かれる。これらの床敷きマットの材質は、引張及び折畳みに耐性を有するため、収納に便利である。また、価格が低く、軽量で持運びが簡単であり、化学性質も安定しているため、市場では、床敷きマットの主な需要の１つである。
【０００３】
通常、床敷きマットの外周は、接続のため、係合歯状に形成されている。床敷きマットの周囲に露出している係合歯は、床敷きマットの使用の過程において、摩耗又は損傷しやすい。これは、床敷きマットの使用寿命及び接続効果に影響し、また、係合歯に埃が溜まりやすく、衛生問題が発生する。
【０００４】
また、床敷きマットの使用者のほとんどは、子供（特に、這うこと及び歩くことができたばかりの、正に遊び及び知能開発の黄金時代を迎えている子供）である。しかし、既存の床敷きマットは、通常長方形に形成されており、接続方式が単純であり、子供に面白さを提供することができない。また、このような単一な形状では、ますます追求される家庭の美観を満たすことができない。
【考案の概要】
【考案が解決しようとする課題】
【０００５】
本考案の目的は、上記の技術的問題の少なくとも１つを解決するために、埃が溜まる問題が解決されると共に、接続の多様化が実現されて接続方式及び接続形状が単一という問題が解決される、防塵組合せ式床敷きマットを提供することである。
【課題を解決するための手段】
【０００６】
上記の目的を実現するために、本考案に係る防塵組合せ式床敷きマットは、本体モジュールと、前記本体モジュールの外周に設けられるエッジモジュールとを備えている。前記本体モジュールは、前記エッジモジュールの内側と係合接続される。前記本体モジュールは、正方形であり且つ辺長が異なる第１本体ユニット及び第２本体ユニットを含む。前記エッジモジュールは、外側が平滑であり、線形エッジユニット及び扇形エッジユニットを含む。前記扇形エッジユニット及び前記線形エッジユニットは、それぞれ、もう１つの前記扇形エッジユニット、もう１つの前記線形エッジユニット、前記第１本体ユニット及び前記第２本体ユニットと係合接続することができる。
【０００７】
好ましくは、前記扇形エッジユニットは、円弧エッジ及び相互に垂直の２つの第１エッジを含む。前記第１エッジは、係合歯を有し、前記第１エッジの係合歯によって、前記扇形エッジユニットは、もう１つの前記扇形エッジユニット、前記第１本体ユニット、前記第２本体ユニット及び前記線形エッジユニットと係合接続される。
【０００８】
好ましくは、前記線形エッジユニットは、係合歯が設けられた第２エッジ、及び、前記第２エッジと相対的に設けられたストレートエッジを含む。
【０００９】
好ましくは、１つの前記線形エッジユニットと１つの前記第１本体ユニットとが係合接続された状態において、前記第１本体ユニットの前記線形エッジユニットから離れた側から前記ストレートエッジまでの距離は、前記第１エッジの辺長と同じである。
【００１０】
好ましくは、任意の２つの前記第１本体ユニットは、接続して第１長辺を有する長方形を形成し、任意の３つの前記第２本体ユニットは、接続して第２長辺を有する長方形を形成し、前記第１長辺の長さと前記第２長辺の長さとは同じである。
【００１１】
好ましくは、前記線形エッジユニットは、前記第１本体ユニットに対応する第１線形エッジユニットと、前記第２本体ユニットに対応する第２線形エッジユニットとを含む。
【考案の効果】
【００１２】
従来技術と比較した本考案の有益な効果は、以下の通りである。平滑な外側を有するエッジモジュールを配置することにより、清掃が容易になり、床敷きマットの周りに埃が溜まることが回避される。また、扇形エッジユニットを配置することにより、床敷きマットの視覚効果がよりまろやかで美しくなり、子供が繋げる面白さが増加する。さらに、大きさが異なる第１本体ユニット及び第２本体ユニットを配置することにより、接続の多様化が実現される。
【図面の簡単な説明】
【００１３】
【図１】本考案に係る防塵組合せ式床敷きマットの構成概略図である。
【図２】本考案に係る防塵組合せ式床敷きマットの構成分解図である。
【図３】本考案に係る防塵組合せ式床敷きマットのもう１つの接続形状概略図である。
【考案を実施するための形態】
【００１４】
以下、図面に示される具体的な実施形態と併せて、本考案について詳細に説明する。これらの実施形態は、本考案を限定するものではない。当業者がこれらの実施形態に基づいた構造、方法又は機能の同等置換のすべては、本考案による保護範囲内に含まれるべきである。
【００１５】
図１及び図２に示すように、本考案に係る防塵組合せ式床敷きマット１００は、本体モジュール１と、本体モジュール１の外周に設けられるエッジモジュール２とを備えている。本体モジュール１は、エッジモジュール２の内側と係合接続される。
【００１６】
具体的には、本体モジュール１は、複数の第１本体ユニット１１及び複数の第２本体ユニット１２を含む。第１本体ユニット１１及び第２本体ユニット１２は、それぞれ正方形である。第１本体ユニット１１は、第１辺長Ｌ１を有し、第２本体ユニットは、第２辺長Ｌ２（＜Ｌ１）を有する。
【００１７】
第１本体ユニット１１及び第２本体ユニット１２は、それぞれ、係合歯を有し、当該係合歯を介して相互に接続して異なる形状を形成する。
【００１８】
任意の２つの第１本体ユニット１１は、接続して第１長辺Ｌ１'を有する長方形を形成する。任意の３つの第２本体ユニット１２は、接続して第２長辺を有する長方形Ｌ２'を形成する。第１長辺の長さＬ１'と第２長辺の長さＬ２'とは同じである。
【００１９】
エッジモジュール２の外側は、平滑に形成されている。つまり、エッジモジュール２の外側により構成される床敷きマット１００のエッジは、平滑である。これによって、床敷きマット１００の周りの清掃が容易になり、埃が溜まらない。
【００２０】
エッジモジュール２は、複数の線形エッジユニット２１及び複数の扇形エッジユニット２２を含む。
【００２１】
本考案に係る実施形態では、扇形エッジユニット２２は、中心角がほぼ９０°の扇形である。つまり、扇形エッジユニット２２は、円弧エッジ２２１及び相互に垂直の２つの第１エッジ２２２を含む。円弧エッジ２２１は、エッジモジュール２の外側の一部を形成している。円弧エッジ２２１を設けることにより、組合せ式床敷きマットの形状がより美しくなり、家庭の美観が高まる。第１エッジ２２２は、係合歯を有する。第１エッジ２２２の係合歯によって、扇形エッジユニット２２は、もう１つの扇形エッジユニット２２、線形エッジユニット２１、第１本体ユニット１１及び第２本体ユニット１２と係合接続される。これによって、接続の多様性が増加する。
【００２２】
線形エッジユニット２１は、長尺状であり、係合歯が設けられた第２エッジ２１２と、第２エッジ２１２と相対的に設けられたストレートエッジ２１１とを含む。図面に示される角度において、ストレートエッジ２１１は、直線であり、エッジモジュール２の外側の一部を形成している。即ち、エッジモジュール２の外側は、複数のストレートエッジ２１１と複数の円弧エッジ２２１とが接続して形成されたものである。第２エッジ２１２は、係合歯を介して、扇形エッジユニット２２、もう１つの線形エッジユニット２１、第１本体ユニット１１及び第２本体ユニット１２と接続される。
【００２３】
本考案に係る実施形態において、長さの相違及び係合歯の歯形の相違によって、線形エッジユニット２１は、第１本体ユニット１１に対応する第１線形エッジユニット２１０１と、第２本体ユニット１２に対応する第２線形エッジユニット２１０２とを含む。
【００２４】
図２及び図３に示すように、第１本体ユニット１１の円弧エッジから第１エッジ２２２までの垂直距離の最大距離は、第１エッジ２２２の辺長Ｌ４であることが好ましい。１つの線形エッジユニット２１と１つの第１本体ユニット１１とが係合接続された状態において、第１本体ユニット１１の線形エッジユニット２１から離れた側からストレートエッジ２１１までの距離Ｌ３は、第１エッジ２２２の辺長Ｌ４と同じである。このように、第１本体ユニット１１、扇形エッジユニット２２及び線形エッジユニット２１は、組み合わせられて床敷きマットを形成する。
【００２５】
従来技術と比較した本考案の有益な効果は、以下の通りである。平滑な外側を有するエッジモジュールを配置することにより、清掃が容易になり、床敷きマットの周りに埃が溜まることが回避される。また、扇形エッジユニットを配置することにより、床敷きマットの視覚効果がよりまろやかで美しくなり、子供が繋げる面白さが増加する。さらに、大きさが異なる第１本体ユニット及び第２本体ユニットを配置することにより、接続の多様化が実現される。
【００２６】
上記に挙げた詳細な説明は、本考案の実施可能な実施形態についての具体的な説明だけであって、本考案の保護範囲を限定するものではない。本考案の技術精神の範囲内で限り、同様効果の実施形態の実施又は変更などのすべては、本考案の保護範囲内に含まれるべきである。
【符号の説明】
【００２７】
１  本体モジュール
１１  第１本体ユニット
１２  第２本体ユニット
２  エッジモジュール
２１  線形エッジユニット
２１１  ストレートエッジ
２１２  第２エッジ
２２  扇形エッジユニット
２２１  円弧エッジ
２２２  第１エッジ
２１０１  第１線形エッジユニット
２１０２  第２線形エッジユニット
１００  床敷きマット
【図１】
0003205820.tif 000003
【図２】
0003205820.tif 000004
【図３】
0003205820.tif 000005